(57)【特許請求の範囲】
【請求項１】
自動高さ調節付きピアノ椅子において、
向き合う様式で配設された鋏式の機構の第１の対（１）又は「Ｘ」字型の形態の関節動作する第１の構造（１）であって、底部において、関節の下側の静止点（１．１）及び関節の下側の可動点（１．３）がその端部にあり、一方で、上側の端部は、関節の上側の静止点（１．２）及び関節の上側の可動点（１．４）を頂部に有する、対または構造と、
向き合う様式で配設された、鋏式の機構の第２の対（２）又は「Ｘ」字型の形態の関節動作する第２の構造（２）であって、底部において、関節の下側の第１の静止点（２．１）、及び関節の下側の第１の可動点（２．３）がその端部にあり、一方で、上側の端部は、関節の上側の第２の静止点（２．２）及び関節の上側の第２の可動点（２．４）を頂部に有する、対または構造と、
前記下側の関節動作がそこで生じる、向き合う様式で配設された２つの「Ｌ」字型断面アングル状プロファイル（３）と、
一方で、前記上側の関節動作がそこで生じる、向き合う様式で配設された２つの上側の「Ｌ」字型断面アングル状プロファイル（４）と、
前記第１および第２の対または構造において、前記底部と前記頂部の両方でそれぞれの静止点と可動点が接続バーによってともに結合され、前記プロファイルの各々の上にある、前記下側の「Ｌ」字型プロファイル（３）に作製された個々の横長のスロット（３．１）、（３．２）、ならびに、前記上側の「Ｌ」字型プロファイル（４）に作製された横長のスロット（４．１）及び（４．２）と、
前記上側の「Ｌ」字型プロファイル（４）をさらに一緒に接続する中間横断バー（９）、（１０）、（２４）及び（２５）と、
上げるまたは下げることによって組立体を移動させる第１のガススプリング（１１）及び第２のガススプリング（１３）と、
これらのガススプリングを作動する２つの作動装置（１５）及び（１６）と、によって形成される構造を備えることを特徴とする、ピアノ椅子。
【請求項２】
請求項１に記載の自動高さ調節付きのピアノ椅子において、向き合う前記対または構造が、前記底部及び前記頂部の両方において、静止点と可動点が接続バーによってともに結合され、かつ接続バー（５）が、前記鋏式の機構（２）の下側の向き合う前記第１の静止点（２．１）を接続し、同時に、接続バー（７）が、同一の鋏式の機構の上側の向き合う前記第２の静止点（２．２）を接続し、一方で、接続バー（６）が、前記一対の向き合う鋏式の機構（１）の下側の向き合う前記静止点（１．１）を接続し、同時に、接続バー（８）が、前記一対の向き合う鋏式の機構（１）の上側の向き合う前記静止点（１．２）を接続することを特徴とするピアノ椅子。
【請求項３】
請求項１に記載の自動高さ調節付きのピアノ椅子において、前記第１のガススプリング（１１）が作動端部において、前記上側の「Ｌ」字型プロファイル（４）に接続部品（１２）によって接続される前記横断バー（１０）に取り付けられ、同時に前記第２のガススプリング（１３）が、作動端部において、前記上側の「Ｌ」字型プロファイル（４）に接続部品（１４）によって接続される前記横断バー（９）に取り付けられることを特徴とする、ピアノ椅子。
【請求項４】
請求項１に記載の自動高さ調節付きのピアノ椅子において、前記作動装置（１５）及び（１６）が、前記椅子の側面から突き出し、これは中央回転要素（１７）によって一緒に接続され、これは２本のケーブル（１８）及び（２０）を有し、前記ケーブルの各々はその一端が前記中央回転要素（１７）に取り付けられるが、もう一方の端はアングル状部品（１９）及び（２１）のそれぞれに取り付けられ、これがトリガーによって前記ガススプリング（１１）及び（１３）を作動することを特徴とするピアノ椅子。
【発明の詳細な説明】
【技術分野】
【０００１】
発明の名称が示すように、本明細書の発明は、椅子の高さを自動的に調節することができる特定の特徴を有する、演奏会又は他の舞台で使用される可能性があるピアノ椅子に関する。
【０００２】
椅子の高さを調節するための手段のための特別な構成及び設計は、迅速に、単純かつ容易な様式で、いかなる特定の手間もなしに、使用中の雑音を除去して、すべて単純な構成要素を使用して、その高さを調節することができるように本明細書の発明を特徴付け、機構の揺り戻し効果が実質上皆無である。
【０００３】
従って、本明細書の発明は、椅子及びスツールの範囲内に閉じ込められ、かつ特に自動的に椅子の高さを調節するための手段を使用するものである。
【背景技術】
【０００４】
現在の椅子のモデルは、自動的な高さ調節をすることができず、かかる調節はリードスクリュータイプの機械的なシステムによって行われ、これは使用者によって手動で作動される。これは、使用者が椅子の高さを調節するために少なからぬ力を使用しなければならないことを意味する。
【０００５】
一般的には、高さを調節するための上述の既知のシステムは、異なる問題を呈する。例えば、これらは聞こえるような雑音を発するシステムであり、ピアニストが演奏会でピアノを演奏していて、椅子の片側からもう一方の側へ滑動したときに雑音がピアニストの通常の演奏位置から聞こえるので、これらの雑音はピアニストに対しては特に重要である。
【０００６】
加えて、かかるシステムは、使用者の側にある程度の手間を要求し、使用が容易でなく、かつ便利でない。使用されているシステムは、修理が必要な場合、組み立て及び分解が容易でないことも、別の追加的な困難である。これらのシステムは、揺り戻し効果を有し、かつ使用される構成要素が複雑で、従って調節のために少なからぬ時間を必要とする。
【０００７】
従って、本明細書の発明の目的は、自動的に高さ調節可能で、かつさらに使用者のために、あまり手間を要せずに、気づくような雑音なしに、最低限の揺り戻しで、迅速な調節を提供し、椅子が完全に安定で、強固で、かつ使用時に便利であることを確実にするピアノ椅子を開発することである。
【発明の概要】
【０００８】
本明細書の発明の目的は、改善可能であり、市場にある既存の椅子が今までの諸解決に失敗している、技術的な態様を改善することをめざす、自動高さ調節付きのピアノ椅子である。
【０００９】
従って、この椅子は、以下の技術的態様の改善及び解決をめざす。
・雑音：この機構は、ピアニストが演奏会でピアノを演奏していて、椅子の片側からもう一方の側へ滑動したときに、ピアニストの通常の演奏位置から聞こえるような雑音を出さない。
・使用が容易かつ便利：新しいシステムは、使用が便利なように、使用者の側にかかる手間を最小限にすることによって作動を確実にする。使用者は、作動装置のわずかな回転によって椅子の高さを調節することができる。
・修理の可能性のための、システムの組み立て及び分解の容易さ。
・組立体の使用を単純にする、単純な構成要素。
・揺り戻し：機構の揺り戻し効果が、実質上皆無。
【００１０】
これを行うために、発明の目的である椅子は、関節動作する、鋏式の機構の個々の対、又は「Ｘ」字型の形態の組立体によって、ともに接続される、向き合う様式に配設された「Ｌ」字型断面プロファイルの対を、２つは底部に、そして２つは頂部に有し、加えて上側と下側との「Ｌ」字型プロファイルを接続する一連の中間横断バーを有する。
【００１１】
２対の向き合うプロファイルの上には、可動関節スライドがこれを通る２対の横長のスロットがあるので、上げ下げするための構造の上部は、上げること、及び下側のプロファイルに近づくように引くことができ、同時にこれは鋏式の機構の対の回転と、前記関節の長手方向の移動とを可能にし、結果として上部を底部に対して上げ下げする移動がもたらされる。
【００１２】
上げ下げする作用は、鋏式機構の対の各々の上に作用し、椅子のそれぞれの側から突出する作動装置によって一旦ガススプリングのトリガーが解放されると、ガススプリングの個々の対によって達成される。
【００１３】
ガススプリングトリガーを開放するための作動装置は、２つの作動装置の何れかを回転することによって、一端がこの中央回転部分に固定され、他端がトリガーによってガススプリングを作動するアングル状部品に取り付けられるいくつかのケーブルに接続されている中央回転部分を回転するように、椅子の両側から突出する。
【００１４】
この操作の態様は、トリガーによってガススプリングを作動するアングル状部品の作動ケーブルが巻き付けられず、ケーブルの切断及び劣化を防止するので、重要である。
【００１５】
ケーブルが引っ張られると、ガススプリングバルブに圧力をかけて、ガススプリングを伸張させ、その結果椅子の高さを動かすように、各々の「トリガー」に作用する。
【００１６】
椅子の高さを下げるためには、使用者が作動装置を回転し、上記の手順が生じたとき、そして使用者が座っているとき、ガススプリングバルブのトリガーを押すことによってガススプリングが解放され、使用者の体重が椅子を下げる。
【００１７】
記載される構造を使用することによって、以下の利点が達成される。
・部品の単純化、製造するときの企業のためのコストの節約。
・組み立てが容易で、システム取付時間が低減するので、人件費が下がる。
・重量、材料タイプ、その他に対する必要な技術を提供するＡＩＭＭＥの協力のおかげで、部品のコスト最適化。
・１５０ｋｇを超える重量に耐えるための、椅子に対する強固さ及び頑強さ。
・機構を下向きに作動するために、３０ｋｇ以上の最小限の力をかける必要がある。これは、子どもが椅子で遊ぶのを防止し、それによって潜在的な事故のリスクを避ける
・作動装置の回転によって達成される調節の速度が、回転の角度がより大きい間は、より速く椅子の高さが調節される。
・１２０ｍｍの最大高さ調節が達成される。
・使用中、及び調節するために操作するときの雑音低減。
・手動行為を除去することによって、使用者の側の手間を必要としない。
【００１８】
以下になされる説明の補完として、及びその現実的な発明を実施するための形態の例による、発明の特性のより良好な理解のために、一連の図面が図示の目的で、かつ非限定的な様式で、上述の説明の必須部分として添付され、以下が示される。
【図面の簡単な説明】
【００１９】
【図１】図１は、構造が部分的に伸ばされている、椅子を上げ下げするための構造の斜視図である。
【図２】図２は、構造が完全に折り曲げられている、椅子を上げ下げするための構造の図である。
【図３】図３は、椅子を上げ下げするための構造の平面図である。
【発明を実施するための形態】
【００２０】
図面を考慮して、提案されている発明を実施するための形態が以下に記載される。
【００２１】
図１に示すように、自動高さ調節付きの椅子は、
・鋏式の機構の第１の対（１）又は「Ｘ」字型の形態の関節動作する構造（１）が、向き合う様式で配設され、底部において、その端部には関節の下側の静止点（１．１）及び関節の下側の可動点（１．３）があり、一方で上端は、関節の上側の静止点（１．２）及び関節の上側の可動点（１．４）を有し、
・鋏式の機構の第２の対（２）又は「Ｘ」字型の形態の関節動作する構造（２）が、向き合う様式で配設され、底部において、その端部には関節の第１の下側の静止点（２．１）及び第１の関節の下側の可動点（２．３）があり、一方で上端は、関節の第２の上側の静止点（２．２）及び関節の第２の上側の可動点（２．４）を有し、下側の関節は、向き合う様式で配設された２つの「Ｌ」字型断面のアングル状プロファイル（３）で生じ、一方で上側の関節は、
・向き合う様式で配設された２つの上側の「Ｌ」字型断面のアングル状プロファイル（４）で生じ、底部及び頂部の両方における、静止及び移動の、向き合う関節は、接続バーによってともに結合され、各々のプロファイルの上には、
・下側の「Ｌ」字型プロファイル（３）内に作製した個々の横長のスロット（３．１）、（３．２）があり、一方で、
・上側の「Ｌ」字型プロファイル（４）に作製した横長のスロット（４．１）及び（４．２）があり、上側の「Ｌ」字型プロファイル（４）は、
・中間横断バー（９）、（１０）、（２４）及び（２５）によってさらにともに接続され、組立体は、第１のガススプリング（１１）及び第２のガススプリング（１３）を上げるまたは下げることによって動かされ、これらは、
・２つの作動装置（１５）及び（１６）によって作動されることによって構造が形成され、
・図１及び図２は、鋏式の機構の個々の対又は「Ｘ」字型の形態の関節動作する構造（１）及び（２）が、どのように、向き合う関節を有し、かつこれが個々の横断バーによって結合される「Ｌ」字型プロファイルと接続するかを示す。従って、バー（５）は、鋏式の機構（２）の下側の向き合う静止関節点（２．１）を接続し、一方でバー（７）は同じ鋏式の機構の上側の向き合う静止関節点（２．２）を接続する。一方、バー（６）は、向き合う鋏式の機構の対（１）の下側の向き合う静止関節点（１．１）を接続し、一方でバー（８）は、向き合う鋏式の機構（１）の対の上側の向き合う静止関節点（１．２）を接続する。
【００２２】
可動関節（１．３）、（２．３）、（１．４）及び（２．４）がそれぞれ通って動く、下側の横長のスロット（３．１）及び（３．２）ならびに上側のスロット（４．１）及び（４．２）での雑音を避けるために、いかなる雑音も発生しないプラスチック材料などが使用され、前記可動関節は、好ましくは、プラスチック材料などで作製されたローラー内に収容される。
【００２３】
図３は、第１のガススプリング（１１）が、接続部品（１２）によって、その端部において上側の「Ｌ」字型プロファイル（４）に接続する横断バー（１０）にどのように取り付けられるかを示す一方で、接続部品（１４）によってその端部において、上側の「Ｌ」字型プロファイル（４）に接続される横断バー（９）に取り付けられる第２のガススプリング（１３）がある。
【００２４】
ガススプリング（１５）及び（１６）を作動させるために、椅子の側面から突き出しているいくつかの作動装置（１５）及び（１６）があり、これは、２本のケーブル（１８）及び（２０）を有する中央回転要素（１７）によってともに接続され、各々のケーブルは、その一方の端部が中央回転要素（１７）に取り付けられるが、もう一方の端部は、トリガーによってガススプリング（１１）及び（１３）を作動するアングル状部品（１９）及び（２１）のそれぞれに取り付けられる。
【００２５】
２つの作動装置（１５）及び（１６）の何れかを回転することによって、中央回転要素（１７）を回転させ、これはケーブルに張力を生じさせ、かつアングル状部品（１９）及び（２１）の動きを生じさせ、これはトリガーによってガススプリング（１１）及び（１３）を作動し、ガススプリングバルブを押して、これらを作動させて、椅子の高さを動かす。これは、使用者が座っていない場合に起こる。作動装置を作動するときに使用者が座っている場合、使用者の体重により椅子は下がる。
【００２６】
図面は、本発明の椅子が、中点を通過する垂直な面に対して対称であることを示し、２つの鏡像対称な同一の半割部が得られる。
【００２７】
構成要素の材料、形状、寸法、及び配設の変化は、本発明の本質的な特性を変更せず、非限定的な様式で記載されるが、これは専門家による再現のためには十分である。
【図１】
0005992512.tif 000002
【図２】
0005992512.tif 000003
【図３】
0005992512.tif 000004